(57)【特許請求の範囲】
【請求項１】
基礎情報生成部と、免疫細胞亜群検出部と、免疫動態変化解析部と、記憶部と、表示部とを備え、
前記基礎情報生成部は、血液成分の血算及び白血球像の検査情報と、リンパ球の表面抗原と結合するモノクローナル抗体のＣＤ分類の解析情報とを獲得し、前記記憶部に記憶するように構成され、
前記免疫細胞亜群検出部は、前記血液成分の血算及び白血球像の検査情報と、前記リンパ球の表面抗原と結合するモノクローナル抗体のＣＤ分類の解析情報とに基づいて、被検者の免疫状態の分析に必要な免疫細胞亜群の情報を検出するように構成され、
前記免疫動態変化解析部は、前記基礎情報生成部及び前記免疫細胞亜群検出部で検査された情報と前記記憶部に保存されているデータとに基づいて、少なくとも被検者の免疫動態変化に関する情報を識別し、前記表示部に画像化して呈示するように構成され、
前記免疫動態変化解析部は、免疫状態パターンを形成するパターン形成部と、前記免疫状態パターンに対して当該被検者の免疫動態相関に関する情報を呈示する免疫動態相関部と、血算のデータに応じて学習する自己学習する機能を有し、血算の各成分間の相関を特徴付ける自己学習部と、を備えることを特徴とする多項目自動血球計数装置。
【請求項２】
請求項１に記載の多項目自動血球計数装置であって、
前記免疫細胞亜群検出部は、被検者の免疫状態の分析に必要な情報として、Ｂ細胞の個数、ＮＫ細胞の個数及びＮＫＴ細胞の個数を算出するとともに、少なくとも、ヘルパーＴ細胞の個数，キラーＴ細胞の個数，ＮＫ細胞の個数，ＮＫＴ細胞の個数及びＢ細胞の個数を含む免疫リンパ細胞亜群の個数及び割合を検出することを特徴とする多項目自動血球計数装置。
【請求項３】
請求項１又は請求項２に記載の多項目自動血球計数装置であって、
前記免疫細胞亜群検出部は、前記血液成分の血算及び白血球像の検査情報と、前記リンパ球の表面抗原と結合するモノクローナル抗体のＣＤ分類の解析情報に基づいて、前記被検者の体内の免疫細胞としての白血球の総数及び免疫細胞亜群の各々の個数を検出し、
前記免疫動態変化解析部は、前記免疫細胞亜群の割合及び個数変化に基づいて免疫状態パターン又は免疫動態モデルを生成することを特徴とする多項目自動血球計数装置。
【請求項４】
請求項１〜請求項３のいずれか一項に記載の多項目自動血球計数装置であって、
前記自己学習部は、前記記憶部に記憶されている全顆粒球、全リンパ、ＣＤ４抗原、ＣＤ８抗原、ＮＫ細胞、ＮＫＴ細胞及びＢ細胞の数量に基づいて、感染症の特徴を示すパターン範囲を特定し、前記記憶部に記憶することを特徴とする多項目自動血球計数装置。
【請求項５】
請求項４に記載の多項目自動血球計数装置であって、
前記パターン形成部は、前記記憶部に記憶されている感染者のＣＤ４抗原数、ＣＤ８抗原数、ＮＫ細胞数、ＮＫＴ細胞数及びＢ細胞数の割合を画像化し、前記表示部に呈示し、
前記記憶部に記憶されている対比インフルエンザ感染パターン標準データを用いて、前記被検者がインフルエンザに感染しているか否かを判断するための情報を前記表示部に呈示することを特徴とする多項目自動血球計数装置。
【請求項６】
請求項１〜請求項５のいずれか一項に記載の多項目自動血球計数装置であって、
前記免疫動態変化解析部は、確定した前記被検者の免疫動態変化に関する情報に基づいて、当該被検者の獲得免疫について、Th1細胞性免疫及びTh2液性免疫の優位度の情報を解析することを特徴とする多項目自動血球計数装置。
【請求項７】
請求項１〜請求項５のいずれか一項に記載の多項目自動血球計数装置であって、
前記免疫動態変化解析部は、確定した前記被検者の免疫動態変化に関する情報に基づいて、当該被検者の臨床状態について、免疫代償状態及び免疫非代償状態を解析することを特徴とする多項目自動血球計数装置。
【請求項８】
請求項１〜請求項５のいずれか一項に記載の多項目自動血球計数装置であって、
前記免疫動態変化解析部は、確定した前記被検者の免疫動態変化に関する情報に基づいて、当該被検者の自律神経について交感神経及び副交感神経の優位度を解析することを特徴とする多項目自動血球計数装置。
【発明の詳細な説明】
【技術分野】
【０００１】
本発明は、免疫動態変化を追従検査可能な多項目自動血球計数装置に関する。
【背景技術】
【０００２】
現代、臨床現場において、リンバ球間の相互関係を検討して免疫動態を検討する場面が多い。各免疫亜群の動態を検討することで、自己免疫疾患、アレルギー疾患、癌の有無、癌状態推移及び癌の詳細情報を推定することができる。また、免疫動態の検討は、病気の早期発見に役立つだけではなく、病気の予防及びそれらの治療における治療効果及び副作用などの評価指標として利用することができ、現代の医療現場における病気の早期発見・早期治療において、欠かせない検討項目になりつつある。
【０００３】
免疫動態の検討に関わる基礎指標として、免疫の司令塔であると言われるヘルパーＴ細胞は言うまでもないが、その他に、キラーＴ細胞、Ｂ細胞、ＮＫ細胞、ＮＫＴ細胞等の指標情報も重要である。例えば、上記基礎指標に基づいて、Ｔｈ１細胞、Ｔｈ２細胞、Ｔｈ１７細胞、制御性Ｔ細胞等の各免疫症状と関連性が強い詳細な情報を導くことができ、病気の早期発見・早期治療などに役に立つ。
【０００４】
一方、採血検査には（日本国内の事情を例に）、院内検査（常用な検査項目）と検査機関等で行う院外検査特許文献１における各項目の含む検査）と２種類がある。４０年前から今までの白血球の臨床検査（院内検査）には、顆粒球の分画（好中球・好酸球・好塩基球・単核球）４種類とリンパ球の全体的な検査報告が主流だった。これらの臨床検査では、顆粒球の動態状態の分画を示したが、リンパ球亜群の状態の分画を示していない（例えば、図２の左表を参照）。現状では、リンパ球亜群の状態の分画を示すには（例えば、図２の右表を参照）、例えば、特許文献１に開示したように、大変複雑で手間がかかり、個別の採血管の検査を実施しなければならない。
【０００５】
従来は、多くの医療機関がより詳細な免疫状態（顆粒球の動態状態の分画且つリンパ球亜群の動態状態の分画情報）に係わる情報を得るには、東京公衆衛生研究所などの専門機関に依頼を掛けて、特注な形で個別の採血管の検査（例えば、ＰＣＲ法等の複雑な方法）を実施させる必要があり、且つ非常に高価な費用が掛かっていた。特に、リンパ球亜群の動態状態を解明するには、かなり多くの項目を同時に検査する必要があるので、個別な項目が必要な臨床上では従来技術で検査するのは非常に不合理だった。また、現在までの複雑且つ高価な検査方法からは、確かに、多種類の項目の情報が得られるが、いずれも免疫の特定部分についての静態検査にすぎない。即ち、臨床現場において、即時に、ヘルパーＴ細胞、キラーＴ細胞、Ｂ細胞、ＮＫ細胞、ＮＫＴ細胞等の指標情報を入手することはできなく、リンバ球亜群全体の動態に関わる情報を得ることが困難で、医療従事者及び患者にとって大きな課題が存在する。
【０００６】
図１３に示したように、ヘルパーＴ細胞、キラーＴ細胞、Ｂ細胞、ＮＫ細胞、ＮＫＴ細胞等の指標情報（免疫細胞亜群の一部）は、多くの病状及び体質変化（細胞変化）と直接関連している。すなわち、ヘルパーＴ細胞、キラーＴ細胞、Ｂ細胞、ＮＫ細胞、ＮＫＴ細胞等の指標情報を即時に獲得することで、多くの病状及び体質変化を早期に把握して、対処することが可能である。
【０００７】
最近、血液試料中の血球の計数およびヘモグロビン濃度の測定を行う血球計数検査装置に係り、特にこの種の装置においてＰ Ｏ Ｃ Ｔ （ Ｐ oint Ｏ f Ｃ are Ｔ esting： 簡易迅速検査）用小型検査装置を実現するため、その要部となる血球計数センサ、ヘモグロビン濃度計測センサおよび血液試料容量秤量センサなどを小型化および集積化し、装置本体に対してディスポーザブル構造化した血球計数検査チップを得ると共に、この血球計数検査チップを使用する血球計数検査装置が知られている（特許文献１を参照）。また、採取された血液に含まれる複数の免疫細胞に対応する免疫細胞マーカーを用いて免疫力を評価する免疫力評価方法、免疫力評価装置、免疫力評価プログラム、及び免疫力評価プログラムを記録した情報記録媒体が知られている（特許文献２を参照）。しかし、ヘルパーＴ細胞、キラーＴ細胞、Ｂ細胞、ＮＫ細胞、ＮＫＴ細胞等の指標情報を即時に獲得できる装置などについては未だ知られていない。
【０００８】
現代社会において、人々の流動性の活発化及びグローバル化により、未知ウイルスなどによる感染病が急速に拡大するこうした未知ウイルスなどによる感染病の拡大を防止するために、人々の免疫状態を即時に把握し、真相を追求することが重要である。現在の臨床現場において、自動血球測定装置やフローサイトメータなど装置機械を取り扱っているが、免疫症状と関連性が強いＴｈ１細胞、Ｔｈ２細胞、Ｔｈ１７細胞、制御性Ｔ細胞等の情報を調べるのには、ＰＣＲ法等の複雑な方法を実施する必要がある。また、ＰＣＲ法等の複雑な方法による関連細胞に関わる情報は静的状態を示す情報であり、免疫動態の情報を得ることは困難である。従って、臨床現場における従事者とっては、ＰＣＲ法等の複雑な方法を実施せず、免疫症状と関連性が強いＴｈ１細胞、Ｔｈ２細胞、Ｔｈ１７細胞、制御性Ｔ細胞等の情報を一層早い段階での免疫動態の情報を呈示する装置の開発が求められている。
【先行技術文献】
【特許文献】
【０００９】
【特許文献１】特開２００８−８９３８２号公開
【特許文献２】ＷＯ２００７／１４５３３Ａ１
【発明の概要】
【発明が解決しようとする課題】
【００１０】
本発明は、上記の事情に鑑みて、医療現場における従事者が即時に受検者の免疫情報、特に免疫動態に関わる情報を呈示することを目的とする。より詳細には、免疫症状と関連性が強いＴｈ１細胞、Ｔｈ２細胞、Ｔｈ１７細胞、制御性Ｔ細胞等と関わる詳細な情報を導くことができ、免疫動態の情報を画像化して呈示することができる多項目自動血球計数装置を提供することを目的とする。
【課題を解決するための手段】
【００１１】
上記目的を解決するため、本発明の多項目自動血球計数装置は、基礎情報生成部と、免疫細胞亜群検出部と、免疫動態変化解析部と、記憶部と、表示部とを具備し、前記基礎情報生成部は血液成分の血算及び白血球像の検査情報と、リンパ球の表面抗原と結合するモノクローナル抗体のＣＤ分類の解析情報とを獲得し前記記憶部に記憶する機能を有し、前記免疫細胞亜群検出部は、前記血液成分の血算及び白血球像の検査情報と、前記リンパ球の表面抗原と結合するモノクローナル抗体のＣＤ分類の解析情報とに基づいて、被検者の免疫状態の分析に必要な免疫細胞亜群の情報を検出し、前記免疫動態変化解析部は、前記免疫細胞亜群の情報に基づいて、少なくとも被検者の免疫動態変化に関する情報を識別し、前記表示部に画像化して呈示することを特徴とする。
【発明の効果】
【００１２】
本発明によれば、免疫動態の情報を即時に獲得することが可能であり、免疫状態を的確に把握し、免疫力の低下及び病気の進行を防止するために応用することができる多項目自動血球計数装置を提供することができる。特に、本発明の多項目自動血球計数装置を利用することによって、免疫動態の情報を即時に把握することができ、感染病などの早期発見、早期治療につながり、感染拡大を防止することが可能となる。
【図面の簡単な説明】
【００１３】
【図１】第１実施形態に係る多項目自動血球計数装置の概略図である。
【図２】リンパ球亜群の状態の分画を示す図である。
【図３Ａ】第１実施形態に係る免疫動態変化解析部により形成する免疫動態パターンを示す図である。
【図３Ｂ】第１実施形態に係る免疫動態変化解析部により形成する免疫動態モデルを示す図である。
【図４】第１実施形態に係る免疫動態変化解析部の概略図である。
【図５】表示部に呈示する感染者のＣＤ４抗原数、ＣＤ８抗原数、ＮＫ細胞数、ＮＫＴ細胞数及びＢ細胞数の割合を示す図である。
【図６Ａ】パターン形成モジュールが表示部に呈示する対比インフルエンザ感染パターン標準データを示す図である。
【図６Ｂ】パターン形成モジュールが表示部に呈示する被検者の免疫細胞基礎データを示す図である。
【図７】胃がん患者と健常者の各成分を比較した表と、胃がん患者の白血球亜群のそれぞれの成分の割合を示す円グラフ（Ａ）と、胃がん患者のリンパ球亜群のみの割合を示す円グラフ（Ｂ）と、健常者の白血球亜群のそれぞれの成分の割合を示す円グラフ（Ｃ）と、健常者のリンパ球亜群のみの割合を示す円グラフ（Ｄ）を示す。
【図８】慢性関節リウマチ患者とアトピー性皮膚炎患者の各成分を比較した表と、慢性関節リウマチ患者の白血球亜群のそれぞれの成分の割合を示す円グラフ（Ａ）と、慢性関節リウマチ患者のリンパ球亜群と単細胞との割合を示す円グラフ（Ｂ）と、慢性関節リウマチ患者のリンパ球亜群のみの割合を示す円グラフ（Ｃ）と、アトピー性皮膚炎患者の白血球亜群のそれぞれの成分の割合を示す円グラフ（Ｄ）と、アトピー性皮膚炎患者のリンパ球亜群と単細胞との割合を示す円グラフ（Ｅ）と、アトピー性皮膚炎患者のリンパ球亜群のみの割合を示す円グラフ（Ｆ）を示す。
【図９】食道カンジダ患者と乾癬患者の各成分を比較した表と、食道カンジダ患者の白血球亜群のそれぞれの成分の割合を示す円グラフ（Ａ）と、食道カンジダ患者のリンパ球亜群のみの割合を示す円グラフ（Ｂ）と、乾癬患者の白血球亜群のそれぞれの成分の割合を示す円グラフ（Ｃ）と、乾癬患者のリンパ球亜群のみの割合を示す円グラフ（Ｄ）を示す。
【図１０】第１実施形態の免疫動態相関部が形成する免疫動態モデルを示す図である。
【図１１】ＮＫ細胞の投与前の被検者とＮＫ細胞の投与後の被験者の各成分を比較した表と、ＮＫ細胞の投与前の被検者の白血球亜群のそれぞれの成分の割合を示す円グラフ（Ａ）と、ＮＫ細胞の投与前の被検者の単球とリンパ球亜群の割合を示す円グラフ（Ｂ）と、ＮＫ細胞の投与前の被検者のリンパ球亜群のみの割合を示す円グラフ（Ｃ）と、ＮＫ細胞の投与後の被検者の白血球亜群のそれぞれの成分の割合を示す円グラフ（Ｄ）と、ＮＫ細胞の投与後の被検者の単球とリンパ球亜群の割合を示す円グラフ（Ｅ）と、ＮＫ細胞の投与後の被検者のリンパ球亜群のみの割合を示す円グラフ（Ｆ）である。
【図１２】インフルエンザ感染パターン１（インフルエンザ感染時）からインフルエンザ回復パターン１（インフルエンザ回復時）までの免疫相関を呈示する免疫動態モデルを示す図である。
【図１３】免疫細胞亜群と関連性がある病状及び細胞変化を示す概略図である。
【発明を実施するための形態】
【００１４】
以下、本発明に係る多項目自動血球計数装置１の実施形態について、図面を参照しながら説明する。
【００１５】
（第１実施形態）
図１に示したように、第１実施形態の多項目自動血球計数装置１は、基礎情報生成部２、免疫細胞亜群検出部３、免疫動態変化解析部４、記憶部５及び表示部６を備える。
【００１６】
基礎情報生成部２は、白血球数と、白血球像（白血球分画情報）と、白血球細胞（免疫細胞）の表面抗原のＣＤ番号の解析結果などを生成するものである。
【００１７】
本実施形態では、基礎情報生成部２は、白血球数と、白血球像（白血球分画情報）と、白血球細胞（免疫細胞）の表面抗原のＣＤ番号の解析結果とを獲得する。基礎情報生成部２は、図１に示すように、血球計数検出部２１と表面抗原のＣＤ番号検出部２２とから構成される。
【００１８】
血球計数検出部２１は、本実施形態では、血液に希釈・溶血・染色等の処理を行い、光学的又は電気的に血球を計数する血球計数装置、又は血球計数を他の血球計数装置から受信する血球計数受信器から構成される。即ち、血球計数検出部２１は、白血球数と、白血球像（白血球分画情報）とを獲得すればよい。
【００１９】
血球計数検出部２１が血球計数装置である場合は、血球計数検出部２１は、血液成分を分析して、白血球数、白血球中の好塩基球の割合（％）、好酸球の割合（％）、好中球の割合（％）、リンパ球の割合（％）、単球の割合（％）などを検出する。
【００２０】
血球計数検出部２１が血球計数受信器である場合、血球計数検出部２１は、白血球数、白血球中の好塩基球の割合（％）、好酸球の割合（％）、好中球の割合（％）、リンパ球の割合（％）、単球の割合（％）に関わる情報のみを、既存の血球数検出部やサーバ等から受信（取得）する。
【００２１】
血球計数検出部２１が生成又は受信する情報の例として、図２に示す一般的な被検者の血液成分の血算及び白血球像の検査結果の一覧表を用いて説明する。図２中、「ＷＢＣ」が１μｌ中の白血球数であり、白血球像（白血球分画情報）の項目中「Ｂａｓｏ」が白血球中の好塩基球の割合（％）、「Ｅｏｓｉｎｏ」が好酸球の割合（％）、「Ｎｅｕｔｒｏ」が好中球の割合（％）、「Ｌｙｍｐｈｏ」がリンパ球の割合（％）、「Ｍｏｎｏ」が単球の割合（％）である。即ち、血球計数受信器２１２は、白血球数、好酸球の割合（％）、好中球の割合（％）、リンパ球の割合（％）、単球の割合（％）のみを生成又は受信すればよい。
【００２２】
表面抗原のＣＤ番号検出部２２は、例えば、ＣＤ３抗原、ＣＤ５６抗原（および／またはＣＤ１６抗原）、ＣＤ４抗原ならびにＣＤ８抗原を検出するフローサイトメータ、又はこれらの情報を受信する白血球細胞の表面抗原のＣＤ番号の解析結果受信器から構成される。
【００２３】
表面抗原のＣＤ番号検出部２２がフローサイトメータである場合は、表面抗原のＣＤ番号検出部２２は、フローセルと、光源と、検出器とシグナル増幅システム部と、変換システム部等とを備えるものであればよく、複数種の蛍光検出に対応して複数の光検出器を搭載するものでないものが好ましい。
【００２４】
もっとも、フローサイトメータは、ＣＤ３抗原、ＣＤ５６抗原（および／またはＣＤ１６抗原）、ＣＤ４抗原ならびにＣＤ８抗原のみを検出するものであればよい。
【００２５】
表面抗原のＣＤ番号検出部２２がＣＤ番号の解析結果受信器である場合は、表面抗原のＣＤ番号検出部２２は、ＣＤ３抗原、ＣＤ５６抗原（および／またはＣＤ１６抗原）、ＣＤ４抗原ならびにＣＤ８抗原に関する情報のみを、既存の解析装置やサーバ等から受信（取得）するものであればよい。
【００２６】
記憶部５は、ハードウェア（回路、専用論理など）、ソフトウェア（汎用コンピュータシステム又は専用マシン上で動作するものなど）などから構成され、各種情報を記憶する機能を有する。記憶部５には、基礎情報生成部２、免疫細胞亜群検出部３及び免疫動態変化解析部４で検出又は解析した解析情報等が記憶される。
【００２７】
表示部６は、基礎情報生成部２、免疫細胞亜群検出部３及び免疫動態変化解析部４で検出又は解析した解析情報等を表示する機能を有する。表示部６としては、タッチパネル又は表示パネルなどの一般的な液晶ディスプレイ等を用いることができる。
【００２８】
免疫細胞亜群検出部３は、上記基礎情報生成部２で取得した白血球数など及び白血球細胞（免疫細胞）の表面抗原のＣＤ番号の解析結果（解析情報）に基づいて、リンパ球亜群のヘルパーＴ細胞の総数及びキラーＴ細胞の総数（リンパ球亜群のＴ細胞の総数）、Ｂ細胞の総数、ＮＫ細胞の総数及びＮＫＴ細胞の総数を検出する。Ｔ細胞については、ヘルパーＴ細胞の総数と、キラーＴ細胞の総数を算出する。
【００２９】
好ましくは、免疫細胞亜群検出部３は、インストールされた高速検出用プログラムが、少なくとも、上記のような所定の白血球情報及びその表面抗原のＣＤ番号の解析情報に基づいて、免疫細胞亜群の情報を検出することができるものであればよい。
【００３０】
免疫動態変化解析部４は、上述した基礎情報生成部２及び免疫細胞亜群検出部３によって検出し又は得られた情報（以下、免疫細胞基礎データと称する）に基づいて、図３Ａに示したような免疫動態パターン４２又は図３Ｂに示したような免疫動態モデル４３を生成する機能を有する。
免疫細胞基礎データは、少なくとも、白血球数と、白血球中の好塩基球と、好酸球と、好中球と、リンパ球と、単球と、ＣＤ３抗原と、ＣＤ５６抗原（および／またはＣＤ１６抗原）と、ＣＤ４抗原ならびにＣＤ８抗原などの数量及び割合を含む。
【００３１】
免疫動態変化解析部４は、被検者の上述した免疫細胞基礎データに基づいて、被検者の免疫動態パターンを識別し、且つ当該免疫細胞基礎データに基づいて当該被検者と標準値との関連性をマッピングする。
【００３２】
免疫動態変化解析部４は、健康状態（病状）を考慮して、被検者の免疫動態パターン４２に基づいて追加データを収集するためのプロンプトを適応的に提供する。当該プロンプトは、免疫動態モデル４３に基づいて生成する。
【００３３】
すなわち、免疫動態変化解析部４は、白血球数、顆粒球（好酸球、好塩基球、好中球）、単球、リンパ球（ヘルパーＴ細胞、キラーＴ細胞、Ｂ細胞、ＮＫ細胞、ＮＫＴ細胞）のそれぞれの増減や割合などに基づいて、被検者の免疫動態をより高速かつ正確に分析し、その分析結果を表示部６に呈示する。
【００３４】
ＣＤ３はすべてのＴ細胞の膜表面にある抗原である。ＣＤ４はヘルパーＴ細胞（ＣＤ４陽性Ｔ細胞）の膜表面にある抗原である。ＣＤ８はキラーＴ細胞（ＣＤ８陽性Ｔ細胞）の膜表面にある抗原である。ＣＤ１６はＮＫ細胞の膜表面にある抗原である。ＣＤ５６はＮＫ細胞やＮＫＴ細胞の膜表面にある抗原である。
【００３５】
以下、陽性を「＋」、陰性を「−」ということがある。ヘルパーＴ細胞は「ＣＤ３＋ＣＤ４＋」、キラーＴ細胞は「ＣＤ３＋ＣＤ８＋」、Ｂ細胞は「ＣＤ３−ＣＤ５６−」、ＮＫ細胞は「ＣＤ３−ＣＤ５６＋」、ＮＫＴ細胞は「ＣＤ３＋ＣＤ５６＋」の特性をそれぞれ発現する細胞である。
【００３６】
ＣＤ番号の解析結果受信器は、少なくとも、ＣＤ３抗原、ＣＤ５６抗原（および／またはＣＤ１６抗原）、ＣＤ４抗原ならびにＣＤ８抗原に関する情報を受信するものである。
【００３７】
以下、本実施形態に係る多項目自動血球計数装置１の動作の一例を、下記実施例１に基づいて説明する。
【００３８】
［実施例１］
第一の工程では、被検者から血液を採集し、基礎情報生成部２が血液を分析して、白血球数、白血球中の好塩基球の割合（％）、好酸球の割合（％）、好中球の割合（％）、リンパ球の割合（％）、単球の割合（％）に関わる情報及びＣＤ３抗原、ＣＤ５６抗原（および／またはＣＤ１６抗原）、ＣＤ４抗原ならびにＣＤ８抗原に関わるＣＤ分類の解析情報を取得し、記憶部５に保存する。
【００３９】
第二の工程では、免疫細胞亜群検出部３が、上記基礎情報生成部２で取得した白血球数及び白血球分画情報に基づいて、被検者の体内の白血球（免疫細胞）の総数と白血球亜群（免疫細胞亜群）のそれぞれの総数（個数）を算出する。
【００４０】
具体的には、白血球（免疫細胞）の総数と白血球亜群（免疫細胞亜群：顆粒球（好酸球、好塩基球、好中球）、単球、リンパ球（ヘルパーＴ細胞、キラーＴ細胞、Ｂ細胞、ＮＫ細胞、ＮＫＴ細胞））は、免疫細胞亜群検出部３に取り込まれている高速計算プログラムを用いて検出（算出）される。当該高速計算プログラムには、少なくとも、下記計算式（１）〜（５）が含まれる。なお、白血球の総数は、被検者が男性の場合は計算式（１）により算出し、被検者が女性の場合は計算式（２）により算出する。
（数式１）
0006796737.tif 000002
【００４１】
続いて、免疫細胞亜群検出部３は、上記検出されたリンパ球の総数と基礎情報生成部２で取得したＣＤ分類の解析情報とに基づいて、リンパ球亜群のＴ細胞の総数を検出する。
【００４２】
具体的には、リンパ球亜群のＴ細胞の総数は、下記計算式（６）が含まれる免疫細胞亜群検出部３に取り込まれている高速計算プログラムを用いて検出（算出）される。
【００４３】
続いて、免疫細胞亜群検出部３は、算出されたＴ細胞の総数と基礎情報生成部２で取得したＣＤ分類の解析情報とに基づいて、ヘルパーＴ細胞の総数及びキラーＴ細胞の総数を検出する。
【００４４】
ヘルパーＴ細胞の総数及びキラーＴ細胞の総数は、下記計算式（７）及び（８）が含まれる免疫細胞亜群検出部３に取り込まれている高速計算プログラムを用いて検出（算出）される。
【００４５】
続いて、免疫細胞亜群検出部３は、検出されたＴ細胞の総数及びリンパ球の総数と基礎情報生成部２で取得したＣＤ分類の解析情報とに基づいて、Ｔ細胞以外の非Ｔ細胞の総数を検出する。
【００４６】
非Ｔ細胞の総数は、下記計算式（９）が含まれる免疫細胞亜群検出部３に取り込まれている高速計算プログラムを用いて検出（算出）される。
【００４７】
続いて、免疫細胞亜群検出部３は、検出された非Ｔ細胞の総数及びＴ細胞の総数と基礎情報生成部２で取得したＣＤ分類の解析情報とに基づいて、Ｂ細胞の総数、ＮＫ細胞の総数及びＮＫＴ細胞の総数を検出する。
【００４８】
Ｂ細胞の総数、ＮＫ細胞の総数及びＮＫＴ細胞の総数は、下記計算式（１０）、（１１）、（１２）含まれる免疫細胞亜群検出部３に取り込まれている高速計算プログラムを用いて検出（算出）される。
（数式２）
0006796737.tif 000003
【００４９】
なお、上記計算式（１）〜（１２）により、各成分の１μｌ中の個数が算出できる。免疫細胞亜群検出部３は、算出した結果データを記憶部５に保存する。
【００５０】
第三の工程では、免疫動態変化解析部４は、上記基礎情報生成部２及び免疫細胞亜群検出部３で検出（算出）されたデータ情報（免疫細胞基礎データ）と、記憶部５に保存されているデータと、に基づいて、被検者の免疫動態情報を作成する。本願における免疫動態とは、被検者の情報をその採血から即時（採血から２時間以内に）に検出された被検者の白血球、白血球中の好塩基球、好酸球、好中球、リンパ球、単球、ＣＤ３抗原、ＣＤ５６抗原（および／またはＣＤ１６抗原）、ＣＤ４抗原ならびにＣＤ８抗原などの数量及び割合に基づいて呈示した免疫状態に関する情報である。
【００５１】
すなわち、免疫動態変化解析部４は、上述した基礎情報生成部２及び免疫細胞亜群検出部３で検出された白血球、顆粒球（好酸球、好塩基球、好中球）、単球、リンパ球（ヘルパーＴ細胞、キラーＴ細胞、Ｂ細胞、ＮＫ細胞、ＮＫＴ細胞）の数量及び割合などに基づいて、高速かつ正確に被検者の免疫状態を分析し、免疫状態のパターンを形成し、当該被検者の免疫動態を呈示する。免疫動態変化解析部４は、ハードウェア（回路、専用論理など）、ソフトウェア（汎用コンピュータシステム又は専用マシン上で動作するものなど）などから構成される。
【００５２】
免疫動態変化解析部４は、具体的には、図４に示したように、パターン形成モジュール４０１と、免疫動態相関部４０２と、自己学習システム４０３と、を具備する。免疫動態変化解析部４は、データ（例えば、情報、モデル、フィードバック、被検者プロファイルなど）を格納するための１又は複数のデータストア５０１又は（及び）記憶部５に接続されている。
【００５３】
パターン形成モジュール４０１は、免疫状態のパターンを形成するための画像形成用ソフトウェアであり、免疫状態を区画し、免疫状態パターン（例えば、免疫動態パターン）を形成する。自己学習システム４０３は、血算のデータに応じて学習する自己学習する機能を有し、血算の各成分間の相関を特徴付ける。
【００５４】
［パターン形成例１］
パターン形成例１では、インフルエンザ感染に関するパターン形成に基づいて、免疫動態変化解析部４の機能について説明する。
【００５５】
パターン形成例１では、まず、自己学習システム４０３は、記憶部５（又はデータストア５０１）に記憶されているランダムに選択した一定数のインフルエンザ感染者（以下、感染者と称する）のそれぞれの白血球（免疫細胞）の総数と白血球亜群（免疫細胞亜群）に基づいて、インフルエンザウイルスと相関する細胞データを抽出し、これを記憶部５（又はデータストア５０１）に記憶する。ここで、自己学習システム４０３が抽出した細胞データとしては、表１に示すような全顆粒球、全リンパ、ＣＤ４抗原、ＣＤ８抗原、ＮＫ細胞、ＮＫＴ細胞及びＢ細胞の数量である。
【表１】
0006796737.tif 000004
自己学習システム４０３は、記憶部５（又はデータストア５０１）に記憶されている全顆粒球、全リンパ、ＣＤ４抗原、ＣＤ８抗原、ＮＫ細胞、ＮＫＴ細胞及びＢ細胞の数量に基づいて、インフルエンザ感染の特徴を示すパターン範囲（インフルエンザ感染パターン及び擬インフルエンザ感染パターン）を特定し、記憶部５（又はデータストア５０１）に記憶する。表１のデータは、免疫細胞亜群検出部３によって、上記基礎情報生成部２で取得した各感染者の白血球数及び白血球分画情報に基づいて計算され、自己学習システム４０３によって抽出した当該感染者たちのそれぞれの感染免疫細胞基礎データに該当するものである。
【００５６】
自己学習システム４０３は、上記表１に示す各感染者の感染免疫細胞基礎データに基づいて、各感染者のＣＤ４抗原数、ＣＤ８抗原数、ＮＫ細胞数、ＮＫＴ細胞数及びＢ細胞数の合計数を計算し、下記の表２に示すＣＤ４抗原数、ＣＤ８抗原数、ＮＫ細胞数、ＮＫＴ細胞数及びＢ細胞数の割合を算出し、記憶部５（又はデータストア５０１）に記憶する。
【表２】
0006796737.tif 000005
【００５７】
また、自己学習システム４０３は、インフルエンザ感染の特徴を示すパターン範囲を特定する際に、インフルエンザ感染の特徴と関連があると判断した参考データ、例えば、表２で示すように体温及び脈拍数などを同時に示すことができる。
【００５８】
次に、パターン形成モジュール４０１は、記憶部５（又はデータストア５０１）に記憶されている上記表２に示す感染者のＣＤ４抗原数、ＣＤ８抗原数、ＮＫ細胞数、ＮＫＴ細胞数及びＢ細胞数の割合を画像化し、表示部６に呈示する。図５は、表示部６に呈示する感染者のＣＤ４抗原数、ＣＤ８抗原数、ＮＫ細胞数、ＮＫＴ細胞数及びＢ細胞数の割合を示す図である。
【００５９】
さらに、自己学習システム４０３は、各感染者の、ＣＤ４抗原数とＢ抗原数との比（ＣＤ４／Ｂ）、全リンバと全顆粒との比（全リンバ／全顆粒）を計算し、記憶部５（又はデータストア５０１）に記憶する。さらに、自己学習システム４０３は、表２に示す感染者たちのＣＤ４抗原の割合、ＣＤ８抗原の割合、ＮＫ細胞の割合、ＮＫＴ細胞の割合及びＢ細胞数の割合のそれぞれの平均値（対比インフルエンザ感染パターン標準データと称する）を算出し、記憶部５（又はデータストア５０１）に記憶する。
【００６０】
パターン形成モジュール４０１は、記憶部５に記憶されている対比インフルエンザ感染パターン標準データを用いて、被検者がインフルエンザに感染しているか否かを判断するための情報を表示部６に呈示することができる。
【００６１】
すなわち、本実施形態に係る多項目自動血球計数装置１は、自己学習システム４０３が被検者の免疫細胞基礎データを記憶部５に記憶されている諸データと対比し、被検者の免疫細胞基礎データと近い免疫細胞データ（以下、対比免疫細胞データと称する）を選別し、表示部６に呈示する（図６Ａ及び図６Ｂを参照）。よって、従事者は、表示部６に呈示している被検者の免疫細胞基礎データと対比免疫細胞データを参考して、容易に被検者がインフルエンザウイルスに感染しているか否かの判断を行うことができ、早期に感染拡大を防止することができる。
【００６２】
以下、実際のインフルエンザ感染パターンの臨床例を用いて、本実施形態に係る多項目自動血球計数装置１の感染症判断情報を呈示する機能について説明する。
【００６３】
［判断例１］
まず、本実施形態に係る多項目自動血球計数装置１を有する医療現場で、被検者の血液を採集し、基礎情報生成部２を用いて、当該被検者の白血球数と、白血球像（白血球分画情報）と、白血球細胞（免疫細胞）の表面抗原のＣＤ番号の解析結果とを獲得し、記憶部５に記憶する。
【００６４】
次に、免疫細胞亜群検出部３が、上記基礎情報生成部２で取得した白血球数及び白血球分画情報に基づいて、被検者の体内の白血球（免疫細胞）の総数と白血球亜群（免疫細胞亜群）のそれぞれの総数（個数）を算出し、記憶部５に記憶する。
【００６５】
パターン形成モジュール４０１は、上記被検者の白血球（免疫細胞）の総数と白血球亜群（免疫細胞亜群）から全顆粒球、全リンパ、ＣＤ４抗原、ＣＤ８抗原、ＮＫ細胞、ＮＫＴ細胞及びＢ細胞の数量及び割合（以下、被検者の免疫細胞基礎データと称する）を画像化し、表示部６に呈示する。
【００６６】
続いて、パターン形成モジュール４０１は、自己学習システム４０３に上記被検者の免疫細胞基礎データと類似する対比免疫細胞データを、記憶部５（或いはデータストア５０１）に記憶されている免疫細胞データ群から選別すること（選別作業）を命じる。
【００６７】
自己学習システム４０３は、記憶部５（或いはデータストア５０１）に記憶されている免疫細胞データ群から自己学習システム４０３に上記被検者の免疫細胞基礎データと類似する対比免疫細胞データを確定し、選別したときは、パターン形成モジュール４０１に選別作業が完了したことを報告する。ここでは、自己学習システム４０３が選別した対比免疫細胞データは、対比インフルエンザ感染パターン標準データである。
【００６８】
パターン形成モジュール４０１は、自己学習システム４０３から前記選別作業が完了した報告を受けた後、対比インフルエンザ感染パターン標準データを表示部６に呈示する。
【００６９】
この結果、パターン形成モジュール４０１は、被検者の免疫細胞基礎データと対比インフルエンザ感染パターン標準データとを同時に表示部６で呈示する。また、パターン形成モジュール４０１は、被検者の免疫細胞基礎データが対比インフルエンザ感染パターン標準データの範囲内に属すると判断したときは、インフルエンザ感染パターン（陽性）と表示する。パターン形成モジュール４０１は、被検者の免疫細胞基礎データが対比インフルエンザ感染パターン標準データの範囲内にないと判断したときは、インフルエンザ感染パターン（陰性）ではないと表示する。
【００７０】
図６Ａは、パターン形成モジュール４０１が表示部６に呈示する被検者の免疫細胞基礎データを示す図である。図６Ｂは、パターン形成モジュール４０１が表示部６に呈示する対比インフルエンザ感染パターン標準データを示す図である。
【００７１】
医療現場従事者は、上記図６Ａ及び図６Ｂに示すような被検者の免疫細胞基礎データと対比インフルエンザ感染パターン標準データを参考して、簡単かつ短時間で被検者の感染状況の判断を行うことができ、感染者の早期発見に繋がり、感染拡大の防止を効果的に実施することができる。
【００７２】
本実施形態におけるパターン形成モジュール４０１は、上記被検者の免疫細胞基礎データと対比免疫細胞データとを呈示するものに限るものではない。本実施形態におけるパターン形成モジュール４０１は、被検者のＮＫ細胞数，ヘルパーＴ細胞数，キラーＴ細胞数，Ｂ細胞数及びＮＫＴ細胞数の割合などを統計し、グラフ化すると共に、パターン分類を形成する機能も有する。
【００７３】
パターン分類には、例えば、白血球亜群のそれぞれの成分の細胞数及び割合、単球とリンパ球亜群の細胞数及び割合、リンパ球亜群のみの細胞数及び割合に基づいて、免疫状態の免疫動態（正常又は異常）パターンを識別することである。
【００７４】
以下、パターン形成モジュール４０１のパターン分類の形成動作として、疾患のない健康な人（以下、「健康者」という。）の免疫状態の出力例（正常免疫状態パターンＩ）、胃がん患者の免疫状態の出力例（異常状態Ｉ）、慢性関節リウマチ患者の出力例（異常状態II）、アドピ−性皮膚炎患者の免疫状態の出力例（異常状態III）を用いて、説明する。
【００７５】
［出力例１］
まず、胃がん患者（被検者）の血液を採集し、基礎情報生成部２及び免疫細胞亜群検出部３が胃がん患者の免疫細胞基礎データを獲得する。
【００７６】
次に、パターン形成モジュール４０１は、胃がん患者の免疫細胞基礎データに基づいて、図７（Ａ）及び図７（Ｂ）に示すような胃がん患者の免疫状態の円グラフを生成し表示部６に出力する。本実施形態例に係る多項目自動血球計数装置１は、胃がん患者の免疫状態を即時に呈示することが可能である。
【００７７】
パターン形成モジュール４０１は、胃がん患者の免疫状態の確認のために、健康者の免疫状態との比較情報を呈示する。具体的には、パターン形成モジュール４０１が、記憶部５から当該胃がん患者の比較に適した健康者の免疫状態のデータを取得し、図７（Ｃ）及び図７（Ｄ）に示すような健康者の免疫状態の円グラフを生成し表示部６に呈示する。本出力例では、パターン形成モジュール４０１は、上記図７（Ｃ）及び図７（Ｄ）に示すような健康者の免疫状態の円グラフと、図７（Ａ）及び図７（Ｂ）に示すような胃がん患者の免疫状態の円グラフとを同時に呈示する。
【００７８】
図７のＡに、胃がん患者の白血球亜群のそれぞれの成分の割合を示す円グラフを示した。図７のＢに、胃がん患者のリンパ球亜群のみの割合を示す円グラフを示した。図７のＣに、健康者の白血球亜群のそれぞれの成分の割合を示す円グラフを示した。図７のＤに、健康者のリンパ球亜群のみの割合を示す円グラフを示した。
【００７９】
図７のＡ及び図７のＢに示すように、胃がん患者のＣＤ４は１３１０００（13億1千）万個であり、顆粒級：  単核球：  リンパ球＝  ７４：  ７：  １９％、交感神経優位および顆粒球増多リンパ球減少である。免疫期中枢リンパ球亜群個数≒２６２個／μｌ（＜３００個）／μｌ）、ＣＤ４の割合値はＢ細胞の割合値とＣＤ８の割合値より小さく、免疫低下を示唆する。また、Ｔｈ１細胞性免疫群比例（ＮＫ群＋ＣＤ８群）＞Ｔｈ２液性免疫群比例（ＮＫＴ群＋Ｂ群）なので細胞性免疫優位傾向である。この時、パターン形成モジュール４０１は、当該胃がん患者の免疫状態を「免疫低下パターン」と識別する。
また、パターン形成モジュール４０１は、以下の免疫評価基準データＡ）からＣ）に基づいて、パターンを形成する。
Ａ）Ｓｅｌｆ−ｉｍｍｕｎｉｔｙ  Ｈｅａｌｔｈｙ  −ｄｅｇｒｅｅ  （自己免疫力の健康度）
・ＣＤ４  Ｈｅｌｐｅｒ−Ｔ  ｃｅｌｌ  亜群（＝ヘルパーＴ細胞免疫中枢）個数／μＬ／ｍｌ
・ＣＤ４    ＞  ６００／μｌ        ⇒  ｎｏｒｍａｌ  Ｉｍｍｕｎｉｔｙ  （正常）
・ＣＤ４  ６００〜４００  ／μｌ  ⇒Ｉｍｍｕｎｅ−ｄｅｃｌｉｎｅ      （免疫低下）
・ＣＤ４  ４００〜  ２００／μｌ    ⇒  Ｉｍｍｕｎｅ−ｉｍｐａｉｒｅｄ  （免疫異常）
・ＣＤ４  ＜  ２００／μｌ      ⇒  Ｉｍｍｕｎｅ−ｃｒｉｓｉｓ  （免疫危機）
Ｂ）体内免疫方向
・Ｔｈ１細胞性免疫＝ＮＫ＋ＣＤ８（ｋｉｌｌｅｒ−Ｔ）
・Ｔｈ２液性免疫＝ＮＫＴ＋Ｂ  ｃｅｌｌ
・ＣＤ４＞ＣＤ８  ＞Ｂ  ｃｅｌｌの正比例（≒リンパ亜群比例パータン）
Ｃ）体内免疫自律神経バランス
・顆粒級：単核球：リンパ球  ＝６０：５：３５％（正常人の平均値）
⇒交感神経（顆粒球＞リンパ球％）／副交感神経優位（リンパ球＞顆粒球％）
Ｄ）体内免疫細胞群の代償変化（常に変化なので最初からのモニタリングデータを基準に）
・その他変化するバターン。
本実施例においては、上記免疫評価基準データＡ）からＣ）は、予めデータストア５０１（又は記憶部５）に蓄積されている。
【００８０】
一方、図７（Ｃ）及び図７（Ｄ）に示すように、健康者のＣＤ４は３３５０００（33億5千）万個であり、顆粒級：単核球：リンパ球  ＝  ５９  ：  ７  ：  ３４％である。正常人の平均値は、顆粒級：単核球：リンパ球  ＝  ６０  ：  ５  ：  ３５％である。
【００８１】
この時、本実施形態の多項目自動血球計数装置１は、当該胃がん患者の免疫状態が「免疫低下パターン」であることを示し、上述した健康者の免疫状態と比較して、免疫の低下を示す特徴的な値（例えば図７の左の数値）を呈示するとともに、記憶部５に記憶する。
【００８２】
よって、医療現場の従事者は、本実施形態の多項目自動血球計数装置１を利用することによって、上記受検者の免疫状態を、適時に確認することができるとともに、当該受検者の免疫の動態状態を獲得し、免疫状態を正確に把握することが可能である。また、実施例１の多項目自動血球計数装置１は、白血球数と、白血球像（白血球分画情報）と、一定の白血球細胞（免疫細胞）の表面抗原のＣＤ番号との解析に必要なハードウェア（回路、専用論理など）、ソフトウェア（汎用コンピュータシステム又は専用マシン上で動作するものなど）から構成されることが可能である。その結果、本実施形態の多項目自動血球計数装置１は、コンパクトに構成される。さらに、従来は少なくとも血球計数検出装置、フローサイトメータ及びＰＣＲなどの数多くの装置を合わせて獲得する免疫状態に関するデータを、即時に本実施形態の多項目自動血球計数装置１のみで獲得できる。
【００８３】
さらに、医療現場の従事者は、本実施形態の多項目自動血球計数装置１を利用することで、免疫動態を獲得するために引用文献１に示したような各別な計算をすることがなく、受検者の免疫動態に関するデータ及び免疫状態のパターンを視認することができ、迅速かつ正確な同定が可能となると共に、診察の時間短縮につながる。
【００８４】
［出力例２］
出力例２では、Ｔｈ２液性免疫優位傾向パターンに属する免疫状態を出力する一例を示す。Ｔｈ２液性免疫優位傾向パターンの特徴を考慮して、被検者としては、慢性関節リウマチ患者とアトピー性皮膚炎患者を例に説明する。
【００８５】
出力例１と同様に、まず、被検者の血液を採集し、基礎情報生成部２及び免疫細胞亜群検出部３が被検者の免疫細胞基礎データ４１を獲得する。
【００８６】
次に、パターン形成モジュール４０１は、各被検者の免疫細胞基礎データ４１に基づいて、図８に示すような慢性関節リウマチ患者の免疫状態とアトピー性皮膚炎患者の免疫状態の円グラフを生成する。図８（Ａ）に、慢性関節リウマチ患者の白血球亜群のそれぞれの成分の割合を示す円グラフを示した。図８（Ｂ）に、慢性関節リウマチ患者のリンパ球亜群と単細胞との割合を示す円グラフを示した。図８（Ｃ）に、慢性関節リウマチ患者のリンパ球亜群のみの割合を示す円グラフを示した。図８（Ｄ）に、アトピー性皮膚炎患者の白血球亜群のそれぞれの成分の割合を示す円グラフを示した。図８（Ｅ）に、アトピー性皮膚炎患者のリンパ球亜群と単細胞との割合を示す円グラフを示した。図８（Ｆ）に、アトピー性皮膚炎患者のリンパ球亜群のみの割合を示す円グラフを示した。
【００８７】
図８（Ａ）及び図８（Ｃ）に示すように、慢性関節リウマチ８２才女性患者のＣＤ４は８７０００（８億７千）万個であり、ＣＤ８は３３０００（３億３千）万個であり、顆粒級：単核球：リンパ球  ＝  ７９  ：  ５  ：  １６％である。慢性関節リウマチ患者のＣＤ４の割合値はＢ細胞の割合値より小さい（リンパ球亜群の逆比例現象）が、ＣＤ８の割合値より大きい、Ｔｈ２液性免疫群比例（ＮＫＴ群＋Ｂ群）  ＞Ｔｈ１細胞性免疫（ＮＫ群＋ＣＤ８群）なので、Ｔｈ２液性免疫優位傾向を示す。この時、本実施形態の多項目自動血球計数装置１は、当該慢性関節リウマチ患者の免疫状態が「Ｔｈ２液性免疫優位傾向パターン」であることを判定し、健康者の免疫状態と比較して、免疫の状態の特徴を呈示している。
【００８８】
図８（Ｄ）及び図８（Ｆ）に示すように、アトピー性皮膚炎患者のＣＤ４は１９３０００（１９億３千）万個であり、ＣＤ８は１９９０００（１９億９千）万個であり、顆粒級：  単核球：  リンパ球＝  ６５：  ５：  ３０％である。また、アトピー性皮膚炎患者のＣＤ４の割合値はＢ細胞の割合値より小さく（リンパ球亜群逆比例現象）、ＣＤ８の割合値とほぼ等しい。上述した慢性関節患者と同様に、Ｔｈ２液性免疫群比例（ＮＫＴ群＋Ｂ群）  ＞Ｔｈ１細胞性免疫（ＮＫ群＋ＣＤ８群）なので、Ｔｈ２液性免疫優位傾向を示す。この時、本実施形態の多項目自動血球計数装置１は、当該アトピー性皮膚炎患者の免疫状態が「Ｔｈ２液性免疫優位傾向パターン」であることを示し、健康者の免疫状態と比較して、免疫の状態の特徴を呈示している。
【００８９】
［出力例３］
出力例３において、免疫状態及び病状を正確に判断するために、他の病状パターンと比較するために、被検者の免疫状態パターンと異なる病状パターン（比較状態パターン）を同時に呈示して、比較する例について説明する。被検者の免疫細胞基礎データ４１は、出力例１と同様な方法で獲得するため、その説明は省略する。
【００９０】
パターン形成モジュール４０１は、各被検者の免疫細胞基礎データ４１に基づいて、図９に示すような食道カンジダ患者の免疫状態と乾癬患者の免疫状態の円グラフを生成する。図９（Ａ）に、食道カンジダ患者の白血球亜群のそれぞれの成分の割合を示す円グラフを示した。図９（Ｂ）に、食道カンジダ患者のリンパ球亜群のみの割合を示す円グラフである。図９（Ｃ）に、乾癬患者の白血球亜群のそれぞれの成分の割合を示す円グラフを示した。図９（Ｄ）に、乾癬患者のリンパ球亜群のみの割合を示す円グラフである。
【００９１】
図９（Ａ）及び図９（Ｂ）に示すように、食道カンジダ患者のＣＤ４は１３２０００（１３億２千）万個であり、ＣＤ８は１７３０００（１７億３千）万個であり、顆粒級：単核球：リンパ球  ＝  ６７  ：  ６  ：  ２７％である。また、食道カンジダ患者のＣＤ４の個数は２６４個／μｌ（＜４００個／μｌ）の免疫低下状態を示し、また、割合値はＢ細胞の割合値とＣＤ８の割合値より小さく、リンパ球亜群逆比例現象を示唆する。Ｔｈ１細胞性免疫群比例（ＮＫ群＋ＣＤ８群）  ＞Ｔｈ２液性免疫（ＮＫＴ群＋Ｂ群）なので、細胞性免疫優位傾向を示す。この時、本実施形態の多項目自動血球計数装置１は、当該食道カンジダ患者の免疫状態が細胞性免疫優位傾向パターンであることを示し、健康者の免疫状態と比較して、免疫の状態の特徴を呈示している。
【００９２】
一方、図９（Ｃ）及び図９（Ｄ）に示す乾癬患者の免疫状態は、食道カンジダ患者の免疫状態と比較するとその値は大きく異なる。乾癬患者の顆粒級：  単核球：  リンパ球＝  ６７：  ８：  ２５％であり、上述した食道カンジダ患者のものとほぼ近い値を示すが、乾癬患者のＣＤ４は４１６０００（４１億６千）万個の８３２個／μｌ（＞６００個／μｌ）の免疫亢進状態を示し、ＣＤ８の７６０００（７億６千）万個より大きい。また、乾癬患者のＣＤ４の割合値はＢ細胞の割合値とＣＤ８の割合値よりはるか大きく、しかもＮＫＴ細胞の割合はほぼゼロに近く、Ｔｈ２液性免疫優位傾向ではなく、Ｔｈ１７細胞性免疫優位傾向の可能性を示唆する。この時、本実施形態の多項目自動血球計数装置１は、当該乾癬患者の免疫状態が「Ｔｈ１７細胞性免疫優位傾向パターン」であることを示唆し、健康者の免疫状態と比較して、免疫の状態の特徴を呈示している。
【００９３】
出力例３における比較状態パターンは、本願の自己学習システム４０３によって提供される。
【００９４】
自己学習システム４０３は、データストア５０１に蓄積されているデータに基づいて、統計計算（数理最適化計算など）又は臨床現場従事者の選択によって、被検者の免疫状態と相関性が最も良い一又は複数の比較状態パターンを選別することができる。例えば、数理最適化計算としては、数値解析ソフトウェアを使用することができる。例えば、一般的な数値解析ソフトウェアＳｃｉＰｙなどがあげられる。
【００９５】
自己学習システム４０３は、少なくとも、例えば、免疫動態の解析参考データを蓄積されているデータストア５０１と連結されている。当該免疫動態の解析参考データは、免疫動態変化を解析及び定義するための参考情報としての一例に過ぎず、免疫動態変化の相関統計データを解析及び定義するにあたり、臨床現場の従事者にとって役に立つ情報である。
【００９６】
当該免疫動態変化を解析及び定義するための参考情報データは、医療臨床現場の情報及び専門雑誌などの情報に基づいて、適時情報補充するものであってもよい。
【００９７】
また、臨床現場の従事者は、当該免疫動態変化を解析及び定義するための参考情報データを、自己の経験などに基づいて、得意な専門治療分野に特化したものに追加補填することもできる。
【００９８】
自己学習システム４０３の統計計算として、被検者の免疫状態と相関性が最も良い比較状態パターンの選択可能なものであれば、以下のような簡単な計算方式よって選別しもよい。
【００９９】
計算例１としては、ＮＫ細胞数を従属変数とし、ヘルパーＴ細胞、キラーＴ細胞数、Ｂ細胞、ＮＫＴ細胞を独立変数として重回帰分析を行う。
【０１００】
ヘルパーＴ細胞、キラーＴ細胞数、Ｂ細胞、ＮＫＴ細胞の各偏回帰係数を求め、有意差検定を行い、呈示する。
【０１０１】
次に、重相関係数を求め、有意差検定を行い、呈示する。
【０１０２】
ヘルパーＴ細胞、キラーＴ細胞数、Ｂ細胞、ＮＫＴ細胞の寄与率を求め、呈示する。
【０１０３】
ＮＫ細胞数とヘルパーＴ細胞、キラーＴ細胞数、Ｂ細胞、ＮＫＴ細胞との相関関係を求め、呈示する。
【０１０４】
細胞性免疫の活性化に関与する相関の一例として、ＮＫ細胞数とキラーＴ細胞数の総和やその増減等を分析することでＴｈ１細胞が関与するＴｈ１細胞性免疫の状態を、被検者の免疫状態と比較し、統計データ群から最も適したものを選別する。Ｔｈ１細胞は、ＩＦＮ−γを主に産生し、細胞性免疫の活性化等に関与する。
【０１０５】
計算例２としては、ＮＫＴ細胞とＮＫ細胞数、ヘルパーＴ細胞、キラーＴ細胞数、Ｂ細胞との相関関係に基づいて、液性免疫の状態等について正確な相関情報を求め、被検者の免疫状態と比較し、統計データ群から最も適したものを選別する。
【０１０６】
計算例２の重回帰分析は、上述した計算例１と同様な方法で行う。そして、ＮＫＴ細胞とＮＫ細胞数、ヘルパーＴ細胞、キラーＴ細胞数、Ｂ細胞との相関関係を求め、被検者の免疫状態と比較し、統計データ群から最も適したものを選別する。
【０１０７】
液性免疫の状態に関与する相関の一例として、ＮＫＴ細胞数とＢ細胞数の総和やその増減等を分析することでＴｈ２細胞が関与するＴｈ２液性免疫の状態を知ることができる。Ｔｈ２細胞は、インターロイキン−４（ＩＬ−４）を主に産生し、液性免疫に関与する。
【０１０８】
上述計算例１及び計算例２は、免疫動態変化を分析するための相関を導き出す事例に過ぎない。本実施形態の多項目自動血球計数装置には、上述した計算例１及び計算例２における免疫動態を示す相関関係方法以外にも、最適化計算などに基づいて免疫動態を示す有意な数値を示すものも含まれる。即ち、被検者の免疫細胞基礎データ４１を用いて得られた情報に基づいて獲得した免疫細胞亜群の相関及び免疫動態変化に関する統計解析のための比較状態パターンを提供するものであり、且つ即時に被検者の免疫状態に応用可能なものであれば、本実施形態の多項目自動血球計数装置に利用することができる。また、本実施形態の多項目自動血球計数装置の解析データと他分野測定データとの聯結分析によって、新しい情報分析の画像化にも応用できる。例えば、本実施形態の多項目自動血球計数装置の解析データと腸内便中の細菌フローア分析データとの聯結分析によって、Ｔｈ１７粘膜免疫分野の解明に役立つことが可能である。
【０１０９】
次に、免疫動態相関部４０２の動作について、出力例４に基づいて説明する。
【０１１０】
免疫動態相関部４０２は、被検者のパターン形成モジュール４０１によって形成された免疫状態パターンに対して、当該被検者の免疫動態相関に関する情報を呈示する。すなわち、関連細胞の投与によって、被検者の免疫状態の変化（免疫動態変化）を時系列に画像化して呈示すると共に、傾向変化量及び参考必要投与量を呈示する。
【０１１１】
［出力例４］
出力例４では、ＮＫ細胞低下パターンの被検者（被検者１）にＮＫ細胞（自己培養細胞）を投与し、その免疫状態の変化（免疫動態変化）を時系列に画像化して呈示し、免疫動態モデル４３を形成する。図１０は、本実施形態に係る免疫動態相関部４０２が形成する免疫動態モデル４３を示す図である。
【０１１２】
図１０に示すように、免疫動態相関部４０２は、点滴または注射などの物理的手段を用いてＮＫ細胞の投与効果を画像化して呈示する。医療現場の従事者及び被検者１は、被検者の免疫動態を直接目で即時に確認することができる。また、出力例４において、免疫動態相関部４０２は、ＮＫ細胞低下パターンの被検者にＮＫ細胞を投与し、一定期間における当該被検者の免疫状態の変化を示す免疫動態モデル４３を形成する。具体的には、以下の操作の結果を画像化して呈示する。
【０１１３】
まず、ＮＫ細胞を投入する前の被検者の血液を採集し、分析結果（投与前の免疫細胞基礎データ４１）を記憶部５に保存する。
【０１１４】
次に、当該被検者に、純度９２％の自己培養ＮＫ細胞（５．５×１０８  ＮＫ  ｃｅｌｌ）を投入した後、二日後に再度血液を採集し、基礎情報生成部２及び免疫細胞亜群検出部３を用いて分析を行い、投与後の免疫細胞基礎データ４１を生成する。
【０１１５】
パターン形成モジュール４０１は、投与前の免疫細胞基礎データ４１及び投与後の免疫細胞基礎データ４１に基づいて、即時に被検者の免疫動態パターン４２であるＮＫ細胞低下パターン及び第一ＮＫ細胞補填パターン１のそれぞれを識別する。
【０１１６】
免疫動態相関部４０２は、上記被検者１のＮＫ細胞低下パターン及び第一ＮＫ細胞補填パターン１に基づいて、被検者１の体内のＮＫ細胞の増減を示すグラフを呈示する。
【０１１７】
図１０に示すように、一回自己ＮＫ細胞を点滴によって投入することによって、Ｔｈ１細胞性免疫の増幅が観測された。また、ＮＫ細胞を点滴によって投入することによって、体内のＮＫ細胞の増幅も直接的に観測された。
【０１１８】
すなわち、医療現場の従事者は、本実施形態の多項目自動血球計数装置１に基づいて、ＮＫ細胞に寄与する薬剤を投入する際に、その作用効果及び変化などに関する情報を短時間で、且つ容易に知ることができ、患者の負担軽減や早期発見，早期治療につながる。
【０１１９】
さらに、免疫動態相関部４０２は、ＮＫ細胞の投与量と被検者１の体内のＮＫ細胞の増加量とを比例するグラフを形成し、ＮＫ細胞の投与量１の消化率１を計算して呈示する。
【０１２０】
さらに、免疫動態相関部４０２は、自己学習システム４０３を利用して、上記被検者１のＮＫ細胞低下パターン１及び第一ＮＫ細胞補填パターン１を標本に、データストア５０１から最適データ１を選出する。最適データ１は、ＮＫ細胞低下パターン１及び第一ＮＫ細胞補填パターン１と同一又は近似する免疫状態バターン（ＮＫ細胞低下パターン及び第一ＮＫ細胞補填パターン，第二ＮＫ細胞補填パターン，第三ＮＫ細胞補填パターン，第四ＮＫ細胞補填パターン…）の情報が含まれるデータである。
【０１２１】
その後、免疫動態相関部４０２は、最適データ１から被検者１のＮＫ細胞低下パターン１及び第一ＮＫ細胞補填パターン１、第二ＮＫ細胞補填パターン１、第三ＮＫ細胞補填パターン１、第四ＮＫ細胞補填パターン１を呈示する。さらに、免疫動態相関部４０２は、最適データ１の第二ＮＫ細胞補填パターン１についての投与量及び消化率を呈示し、推定投与量２を呈示する。推定投与量２は、理想的な被検者１の第二ＮＫ細胞補填パターンを形成するためにＮＫ細胞の必要な投与量である。推定投与量２は、上記被検者の投与量１及び消化率１と最適データ１の投与量及び消化率に基づいて、自己学習システム４０３の計算方式によって得られる。
【０１２２】
さらに、免疫動態相関部４０２は、被検者１のＮＫ細胞低下パターン１及び第一ＮＫ細胞補填パターン１と最適データ１に基づいて、被検者１の免疫動態モデル１を生成し、呈示する。被検者１の免疫動態モデル１は、図１０に示すように、ＮＫ細胞低下パターン１〜第四ＮＫ細胞補填パターン４までの免疫動態の変化を予測的に立てたものである。
【０１２３】
当該被検者１の免疫動態モデル１は、医療現場の従事者にとって、被検者１の免疫状態を即時且つ動態的に把握することができ、即時に措置対応の判断を行うことができる。被検者１にとっては、当該免疫動態モデル１は、自分免疫動態を直接かつ即時に目で確かめることができ、自己の免疫情報を正確に把握することが可能である。
【０１２４】
図１１は、健康者にＮＫ細胞の免疫動態変化を画像化して呈示する例を示す。
【０１２５】
図１１の（Ａ）に、ＮＫ細胞の投与前の被検者の白血球亜群のそれぞれの成分の割合を示す円グラフを示し、この割合に基づいて算出された白血球亜群の数の算出例を円グラフの左側に示した。図１１の（Ｂ）はＮＫ細胞の投与前の被検者の単球とリンパ球亜群の割合を示す円グラフであり、図１１の（Ｃ）はＮＫ細胞の投与前の被検者のリンパ球亜群のみの割合を示す円グラフである。
【０１２６】
図１１の（Ｄ）に、ＮＫ細胞の投与後の被検者の白血球亜群のそれぞれの成分の割合を示す円グラフを示し、この割合に基づいて算出された白血球亜群の数の算出例を円グラフの右側に示した。図１１の（Ｅ）はＮＫ細胞の投与後の被検者の単球とリンパ球亜群の割合を示す円グラフであり、図１１の（Ｆ）はＮＫ細胞の投与後の被検者のリンパ球亜群のみの割合を示す円グラフである。
【０１２７】
図１１に示すように、健康人に３回自己ＮＫ細胞点滴した後でも、Ｔｈ１免疫の増幅現象（ＣＤ８↑）はなく、代わりに免疫中枢リンパ球ＣＤ４（ｈｅｌｐｅｒＴ細胞）個数の増加の状況が確認できる。
【０１２８】
すなわち、本実施形態の多項目自動血球計数装置１は、健康者の免疫状態の検査及び免疫状態の補填を即時に動態状態で確認でき、健康を守るのに役立つ。
【０１２９】
また、本実施形態の多項目自動血球計数装置に基づいて、インフルエンザ患者の免疫状態の判断を即時に行うことができる。
【０１３０】
免疫動態相関部４０２が呈示する情報は、出力例４に限られるものではなく、図１２に示すように、インフルエンザパターン１から回復パターン１までの免疫相関を呈示することにも利用できる。回復パターン１は、当該インフルエンザ患者が治療によって健康状態が回復した時の免疫状態を示したものである。
【０１３１】
図１２に示すように、インフルエンザ感染症のような急性ウイルス感染は、初期に、ＮＫ細胞の維持傾向（増加〜減少の緩慢傾向）とＣＤ４細胞の著明減少が観察された。逆に、回復期にはＮＫ細胞の減少とＣＤ４細胞の増加も観察された。感染初期のＮＫ細胞増加によるＴｈ１細胞性免疫の増幅現象（Ｂｏｏｓｔｅｒ  ｒｏｌｅ）は感染細胞を除去する自然免疫の早期始動であることを示唆している。回復期にＣＤ４細胞個数の増加は、獲得免疫始動によるものと推定される。従って、急性ウイルス性感染症の際に、ＮＫ細胞個数の維持による素早い自然免疫の働きは感染の早期回復および重症化回避のカギとなることを示唆する。
【０１３２】
感染に対応する体内免疫は、自然免疫（先天免疫）から始動から後天免疫（獲得免疫）の記憶完成までに、約１〜２週間かかると言われる。その間、免疫細胞亜群の代償変化によって、病気の回復につながる。ＳＡＲＳ〜ＭＡＳなどの急性ウイルス感染の際に、免疫細胞亜群の変化が予後に大きく左右すると推定される。つまり、免疫細胞群の代償するスピードが生死の分け目と推定される。図１２において、臨床急性ウイルス性感染症であるインフルエンザ感染症の感染初期に、ＮＫ細胞の増加傾向とＣＤ４細胞の著明減少が観察され、回復期にはＮＫ細胞の減少とＣＤ４細胞の増加が観察された。感染初期のＮＫ細胞増加によるＴｈ１細胞性免疫の増幅現象（Ｂｏｏｓｔｅｒ  ｒｏｌｅ）は感染細胞を除去する自然免疫の早期始動であり、回復期にＣＤ４  Ｈｅｌｐｅｒ−Ｔ細胞個数の増加は、獲得免疫始動によるものである。従って、急性ウイルス性感染症の際に、ＮＫ細胞個数の増加は、ウイルス増殖工場である感染細胞を排除する目的で感染の早期回復および重症化回避の免疫代償変化を推定することができる。即ち、免疫代償状態（非発症）及び免疫非代償状態（発症）について正確に解析することができる。
【０１３３】
上述したように、一定数の急性ウイルス性感染症症例に、本実施形態の多項目血球計数装置による免疫細胞亜群の動的な関連データを解析すれば、患者に身体的な負担および経済的な負担せずに良い予後につなぐ適切な治療法が作り出せる（良い治療指南を生み出す）ことが可能である。すなわち、（１）免疫の健康度（正常・低下・亢進）および免疫自律神経のバランス評価、（２）免疫方向の把握（Ｔｈ１．Ｔｈ２．Ｔｈ１７）、（３）免疫代償変化（免疫代償状態）の把握という三つの免疫動態の情報を即時に把握することで、病気に対し、迅速に適切な治療を施すことが可能となる。
【０１３４】
以上、図面を参照して、本発明の実施の形態を詳述してきたが、具体的な構成は、この実施の形態又は出力例に限らず、本発明の要旨を逸脱しない程度の設計的変更は、本発明に含まれる。
【符号の説明】
【０１３５】
１          多項目自動血球計数装置
２          基礎情報生成部
３          免疫細胞亜群検出部
４          免疫動態変化解析部
５          記憶部
６          表示部
４０１      パターン形成モジュール
４０２      免疫動態相関部
４０３      自己学習システム
５０１      データストア
【要約】
【課題】免疫動態の情報を即時に獲得することが可能であり、免疫状態を的確に把握することができる多項目自動血球計数装置を提供する。
【解決手段】基礎情報生成部と、免疫細胞亜群検出部と、免疫動態変化解析部と、記憶部と、表示部とを備え、基礎情報生成部は、血液成分の血算及び白血球像の検査情報と、リンパ球の表面抗原と結合するモノクローナル抗体のＣＤ分類の解析情報とを獲得し、免疫細胞亜群検出部は、血液成分の血算及び白血球像の検査情報と、リンパ球の表面抗原と結合するモノクローナル抗体のＣＤ分類の解析情報とに基づいて、被検者の免疫状態の分析に必要な免疫細胞亜群の情報を検出し、免疫動態変化解析部は、基礎情報生成部及び免疫細胞亜群検出部で検査された情報と記憶部に保存されているデータとに基づいて、被検者の免疫動態変化に関する情報を識別し、表示部に画像化して呈示する。
【選択図】図２【図１】
0006796737.tif 000006
【図２】
0006796737.tif 000007
【図３Ａ】
0006796737.tif 000008
【図３Ｂ】
0006796737.tif 000009
【図４】
0006796737.tif 000010
【図５】
0006796737.tif 000011
【図６Ａ】
0006796737.tif 000012
【図６Ｂ】
0006796737.tif 000013
【図７】
0006796737.tif 000014
【図８】
0006796737.tif 000015
【図９】
0006796737.tif 000016
【図１０】
0006796737.tif 000017
【図１１】
0006796737.tif 000018
【図１２】
0006796737.tif 000019
【図１３】
0006796737.tif 000020